(57)【要約】 【課題】  良否のチェックおよび切取りが容易な、役物などの設置用穴として切取られるセルシート部分における白抜き技術を提供する。【解決手段】  装飾シート３には、装飾画２２が描画される装飾領域２３と、装飾画２２が描画されない非装飾領域２４とが設定される。装飾領域２３は、遊技盤２がパチンコ機１に取付けられた状態で視認可能な可視領域１８と、この可視領域１８に隣接するしろ領域２６とからなる。このしろ領域２６は、非可視領域２５のうちの縁領域２５ａ，２５ｂ，２５において、可視領域１８に隣接する第１および第２縁領域２５ａ，２５ｂに設定される。また貫通孔が形成されて除去される除去領域２７の境界は、第１縁領域２５ａ内に設定される。【選択図】      図１
2008295680.tif 000002
【特許請求の範囲】
【請求項１】
装飾シートと、紙と、基板とが、前記装飾シートと前記基板との間に前記紙を挟んで貼合わされた状態で、一部が切取られて成形される遊技盤を備えるパチンコ機であって、
装飾シートは、透明のシート体の表面上において、
遊技盤がパチンコ機に設けられた状態で目視可能な可視領域と、
可視領域を除く非可視領域における縁領域のうちの、可視領域に接する領域との装飾領域に、装飾画が描画され、
前記装飾領域を除く領域に、装飾画を描画しない非装飾領域が設けられ、
一部が切取られる除去領域の境界は、前記縁領域において装飾領域および非装飾領域の境界と、可視領域および非可視領域の境界との間に設けられることを特徴とするパチンコ機。
【請求項２】
前記装飾シートの前記非装飾領域には、装飾画を検査するための検査用画像がさらに描画されることを特徴とする請求項１記載のパチンコ機。
【請求項３】
前記除去領域と前記可視領域との間の領域は、前記遊技盤に支持される部材を取付けるための取付しろ領域に設定されることを特徴とする請求項１または２記載のパチンコ機。
【発明の詳細な説明】
【技術分野】
【０００１】
本発明は、パチンコ機に関し、特にパチンコ機に備えられる遊技盤に関する。
【背景技術】
【０００２】
パチンコ機は、複数の遊技釘、遊技部品、および液晶表示装置などが取付けられる遊技盤を備える。この遊技盤は、たとえば装飾画像および複数の情報を表す画像などが描画されたセルシートが、ベニヤ板に貼付けられて形成される。
【０００３】
パチンコ機に取付けられた状態の遊技盤は、一部が覆われて、正面からは一部が見えるようになっている。たとえば遊技盤の周辺部分は、窓枠およびレール飾りなどによって覆われ、正面から視認することができない。そこで第１の従来の技術では、正面から視認することができない部分を白抜きにして、バーコードおよび文字情報などの各種情報を表す画像を描画している（たとえば特許文献１参照）。このように、遊技者から見えない領域に各種情報を描画することによって、装飾性を低下させずに、各種情報を遊技盤に組み込んでいる（たとえば特許文献１参照）。
【０００４】
また遊技盤には、液晶表示装置などが挿入される貫通孔が予め形成される。この貫通孔は、ベニヤ板にセルシートが貼付けられた状態で、ドリルなどによって形成される。貫通孔を形成する工程で、ドリルが遊技盤を貫通するときにセルシートが剥がれて、めくれ上がることがある。そこで第２の従来の技術では、貫通孔が形成される領域を囲うカットラインに沿って、セルシートに切り込みを予め形成しておき、その後、貫通孔を形成している。このように切り込みを形成することによって、貫通孔を形成するときに、カットラインに沿ってセルシートが切取られ、セルシートのめくれ上がりを防止している（たとえば特許文献２参照）。
【０００５】
【特許文献１】特開２００３−１２６３９３号公報
【特許文献２】特開平９−１９２３０２号公報
【発明の開示】
【発明が解決しようとする課題】
【０００６】
遊技盤におけるセルシート貼付けの良否の検査は、セルシート自体の彩色ミスのチェックなども考慮して、役物などの設置用穴の開いていない１枚の平板状の遊技盤形態時に行われている。この検査においてセルシートの貼付け不良および彩色ミスのあるものが不良品として判断される。
【０００７】
しかしながら、ここに１つの大きな問題がある。
それは、１枚の平板状の遊技盤形態で検査を行うので、役物などの設置用穴が開けられた本来の完成された遊技盤の状態となったときには、役物などの設置用穴を開けたために切取られるセルシート部分についても、貼付け不良および彩色ミスがあれば不良品として判断されてしまうことである。
【０００８】
本来の完成された遊技盤の状態から考えれば、切取られるべきセルシート部分に不良が発見されても、結果として良品と同じ状態になるのであるから、不良品として判断することは、歩留まりにマイナス方向の影響を与えることになってしまう。
【０００９】
そこで本発明人は、特許文献１に記載の白抜きにするという技術思想（段落［００３５］、図３および図４参照）を、特許文献２に記載の役物などの設置用穴を開けるために切取られるセルシート部分に転用することで、役物などの設置用穴を開けるために切取られるセルシート部分を白抜きにすることを考えた。
【００１０】
しかしながら、ここで１つの問題が発生した。
それは、役物が設置されるのは主に遊技領域であり、この遊技領域は常に遊技者が遊技する領域であることから、遊技領域に白抜きの部分が少しでも残っていれば、たちどころに遊技者の目に触れ、遊技盤の意匠に大きな悪影響を与えるというものである。
【００１１】
しかも役物の形状はパチンコ機の機種ごとに異なる場合が多く、当然ながら役物の設置用穴の形状も機種ごとに異なる場合が多い。したがって、セルシートの良否の判断時に、白抜き部分をチェックしても、それが結果として切取られる部分からはみ出しているかどうかの判断が難しい。
【００１２】
もちろん遊技盤の切取り作業を徹底的に精密に行ったり、切取り後に少しでも白抜き部分が残っているものがあれば不良品として判断したりすれば、上記のような意匠に悪影響を与えることは回避することができる。しかしながら、工業製造品である以上、何処まで精密にしても製造誤差は発生するし、それにそこまでするのであれば、効率面を考えると白抜きにする意味がなくなり、従来通りにセルシートの全面に装飾画を描画した方がよくなり、本末転倒となってしまう。
【００１３】
したがって本発明の目的は、上記問題に鑑み、良否のチェックおよび切取りが容易な、役物などの設置用穴として切取られるセルシート部分における白抜き技術を提供することである。
【課題を解決するための手段】
【００１４】
本発明では、透明のシート体の表面上において、遊技盤がパチンコ機に設けられた状態で目視可能な可視領域だけでなく、可視領域を除く非可視領域における縁領域のうちの、可視領域に接する領域にも装飾画が描画される。すなわち装飾画は、可視領域から非可視領域に少しだけ食み出して描画される。また装飾領域を除く非装飾領域には、装飾画が描画されない。
【００１５】
また除去領域の境界は、縁領域において装飾領域および非装飾領域の境界と、可視領域および非可視領域の境界との間に設けられる。たとえば役物などの設置用穴は、除去領域と非装飾領域との重なる白抜き部分よりも大きくなるように形成される。したがって、従来の技術と同レベルの精度でも、白抜き部分を遊技盤に残すことなく除去領域を切取ることができる。これによって、白抜き部分が可視領域に食み出しているか否かのチェックをする必要がなくなり、検査効率が向上するとともに、食み出しチェックでの不良がなくなるので、歩留まりを高くすることができる。
【００１６】
さらに、白抜き部分には装飾画が描画されないので、白抜き部分での不良を良品として判断できる状態を維持することができ、さらに歩留まりを高くすることができる。
【００１７】
また装飾画は、非可視領域のうちの除去領域が重なる領域だけでなく、パチンコ機に取付けられた状態でたとえば窓枠などで覆われたりする領域にも、可視領域から少しだけ食み出して描画される。したがって、従来の技術と同レベルの印刷精度および貼付け精度であっても、遊技盤がパチンコ機に取付けられた状態で、装飾画が描画されていない部分が可視領域に食み出すことを防ぐことができる。これによって、装飾画が描画されていない部分が、窓枠などで覆われたりする領域から可視領域に食み出しているか否かのチェックをする必要がなくなり、前述と同様の効果を達成することができる。
【００１８】
また本発明は、非装飾領域には、装飾画を検査するための検査用画像が描画される。非装飾領域は、貫通孔が形成されたり、パチンコ機に取付けられた状態では覆われたりする領域なので、装飾性を低下させることなく、検査用画像を設けることができる。
【００１９】
さらに本発明は、除去領域と可視領域との間の領域は、遊技盤に支持される部材を取付けるための取付しろ領域に設定される。このように取付しろ領域を設けることによって、遊技盤に支持される部材を取付けることができる。また遊技盤の一部を切断するときの精度が低くても、取付しろ領域の一部を切断するだけで、可視領域の一部を切断してしまうことを防ぐことができる。
【発明を実施するための最良の形態】
【００２０】
図１は、本発明の実施の一形態のパチンコ機１に設けられる遊技盤２の装飾シート３を模式的に示す正面図であり、図２は、パチンコ機１を模式的に示す正面図である。遊技盤２は、装飾画などが描画された前面２ａが窓枠４に覆われた状態で、パチンコ機１に設けられる。
【００２１】
窓枠４には、正面から見て中央部に略円形状に貫通して形成される窓部５が設けられる。窓部５の貫通孔に臨む内周面には、透明なガラス窓６が固定される。
【００２２】
遊技盤２の前面２ａには、外ガイドレール８および内ガイドレール９が固定されている。この外ガイドレール８および内ガイドレール９によって囲まれる略円形の領域によって、遊技領域１１が規定される。ガラス窓６は、遊技領域１１に略一致する形状に形成され、このガラス窓６を通して遊技領域１１が視認される。
【００２３】
遊技領域１１の中央部には、図柄および数字などが変動表示される表示画面１２を有する演出表示装置１３が設けられる。遊技領域１１の下部には、始動入賞口が形成される始動入賞装置１４と、始動入賞装置１４の下方に配置され、大入賞口が形成される大入賞装置１５と、大入賞装置１５の下方に配置されるアウト口１６とが設けられる。遊技領域１１の演出表示装置１３の左側には、さらに通過チャッカー１７が設けられる。
【００２４】
始動入賞装置１４の始動入賞口に遊技球が入ると、表示画面１２に表示される図柄および数字などの変動が開始して、一定時間経過後、図柄および数字などの変動が停止する。停止した図柄および数字などの組合せが特定の組み合わせになって、大当たりになると、大入賞装置１５が、遊技球の入らない状態から遊技球の入る状態に切換り、遊技球が入る状態が所定回数だけ繰り返されて一度に多くの入賞球を得ることができる。また通過チャッカー１７を遊技球が通過すると、始動入賞装置１４は、遊技球が入り難い状態から遊技球が入り易い状態に切換り、遊技球が入り易い状態が数秒間だけ維持される。
【００２５】
遊技盤２は、演出表示装置１３などの役物および窓枠４などによって覆われるので、パチンコ機１に取付けられた状態では、正面から一部しか視認することができない。図２では、遊技盤２の視認可能な領域にハッチングを施している。また同様にして図１において、装飾シート３の表面上で、遊技盤２の視認可能な領域に対応する可視領域１８にハッチングを施し、この可視領域１８の境界１９を破線で示している。図１では、パチンコ機１における装飾シート３の位置を示すために、パチンコ機１の外縁２１を２点差線で示している。
【００２６】
遊技盤２は、装飾シート３と、紙と、基板とが、装飾シート３と基板との間に紙を挟んで貼合わされた状態で、一部が切取られて成形される。装飾シート３は、合成樹脂によって形成される透明のシート体の一表面に、キャラクタおよび風景などを表す装飾画２２が描画されて形成される。この装飾シート３は、装飾画２２の描画された面を紙に向けて、装飾シート３とほぼ同じ形状の紙に貼合わされる。装飾シート３に貼合わされる紙は、たとえば白色の紙によって実現される。装飾シート３が紙に貼合わされた状態では、装飾シート３が透明なので、装飾画２２の描画されていない領域は、紙の色、すなわち白色に見え、いわゆる白抜きに相当する。
【００２７】
基板は、ベニヤ板などの木製の板および樹脂製の板などによって実現される。紙が貼合わされた装飾シート３は、紙を基板に向けて、基板に接着剤で貼合わされる。基板および紙の接着性と、紙および装飾シート３の接着性とは、基板および装飾シート３の接着性よりも良いので、装飾シート３と基板との間に紙を介在させることによって、装飾シート３が剥がれることを防いでいる。
【００２８】
基板に装飾シート３が貼合わされると、この状態で一部が切取られ、演出表示装置１３などを配設するための貫通孔が形成される。
【００２９】
装飾画２２が描画される装飾領域２３は、少なくとも可視領域１８を覆うように設定される。本実施の形態では、可視領域１８が大略的に円環状に設定され、この可視領域１８を覆う装飾領域２３も同様に大略的に円環状に設定される。以下の説明では、理解の容易のために、実際の可視領域１８および装飾領域２３を抽象化した図面を参照して、装飾領域２３と、装飾画２２が描画されない非装飾領域２４とについて説明する。
【００３０】
図３は、装飾シート３を簡略化して示す正面図である。図３では、装飾領域２３のうちの可視領域１８に、相互に平行な斜線でハッチングを施し、装飾領域２３のうちの可視領域１８を除くしろ領域２６に網目状のハッチングを施し、装飾領域２３を除く非装飾領域２４を、白色で示している。また図３において可視領域１８と、可視領域１８を除く非可視領域２５との境界１９を破線で示している。
【００３１】
図４は、装飾領域２３と非装飾領域２４とを説明するための模式図である。装飾領域２３は、可視領域１８と、非可視領域２５における縁領域２５ａ，２５ｂ，２５ｃのうちの、可視領域１８に接する領域２５ａ，２５ｂとから成る。図４では、縁領域２５ａ，２５ｂ，２５ｃにそれぞれ網目状のハッチングを施している。
【００３２】
本実施の形態では、非可視領域２５は、円環状の可視領域１８の内側の領域と、可視領域１８の外側の領域との２つの領域からなる。非可視領域２５における縁領域２５ａ，２５ｂ，２５ｃは、本実施の形態では、第１縁領域２５ａと、第２縁領域２５ｂと、第３縁領域２５ｃとから成る。第１縁領域２５ａは、可視領域１８の内側に設けられる非可視領域２５の縁領域であって、可視領域１８の内側の境界１９ａに沿って円環状に設定される。また第２縁領域２５ｂは、可視領域１８の外側に設けられる非可視領域２５の縁領域であって、可視領域１８の外側の境界１９ｂに沿って円環状に設定される。また第３縁領域２５ｃは、可視領域１８の外側に設けられる非可視領域２５の縁領域であって、装飾シート３の縁領域に設定される。
【００３３】
前述した非可視領域２５における縁領域２５ａ，２５ｂ，２５ｃのうちの、可視領域１８に接する領域２５ａ，２５ｂは、本実施の形態では第１および第２縁領域２５ａ，２５ｂに相当し、前述したしろ領域２６に相当する。可視領域１８に接しない第３縁領域２５ｃは、装飾領域２３に含まれず、非装飾領域２４に含まれるので、装飾画が描画されない。
【００３４】
図５は、遊技盤２の一部が切取られる除去領域２７を説明するための模式図である。除去領域２７は、遊技盤２の一部が切取られる前の装飾シート３上において、遊技盤２の一部を切取る工程で除去されるべき領域である。図５（１）では、除去領域２７の境界３１、すなわち除去領域２７と、除去されずに残留する領域との境界３１を１点鎖線で示し、可視領域１８に、相互に平行な斜線でハッチングを施し、除去領域２７に網目状のハッチングを施してている。また図５（２）では、可視領域１８に、相互に平行な斜線でハッチングを施し、除去領域２７と装飾領域２３とが重なる領域に網目状のハッチングを施している。本実施の形態では、遊技盤２の中央部分に演出表示装置１３を設けるための貫通孔が形成され、貫通孔が形成される前の装飾シート３上において、貫通孔の形成されるべき領域が除去領域２７に設定される。本実施の形態における除去領域２７の境界３１は、縁領域２５ａにおいて装飾領域２３および非装飾領域２４の境界３２と、可視領域１８および非可視領域２５の境界１９との間に設けられる。すなわち、円環状の可視領域１８の内側の領域において、除去領域２７は、白抜き部分に相当する非装飾領域２４よりも少しだけ大きく設定され、遊技盤２を切取る工程では、白抜き部分よりも少しだけ大きい貫通孔が形成される。
【００３５】
本実施の形態では、除去領域２７と可視領域１８との間の領域は、遊技盤２に支持される部材を取付けるための取付しろ領域３３に設定される。この取付しろ領域３３は、第１縁領域２５ａのうちの、除去領域２７が切取られた後に残留する領域に相当する。
【００３６】
第２縁領域２５ｂおよび取付しろ領域３３は、たとえば遊技盤２がパチンコ機１に取付けられたときに、装飾シート３が意図した位置からずれたとき、および遊技者が遊技盤２を、盤面に対して垂直ではなく、斜めから見たときなどに、装飾画が描画されない非装飾領域２４が見えて、白色の紙が透けて見えることを防ぐために設けられる。たとえば、役物を取付けるための釘およびねじなどが挿入されることによって、装飾シート３が引張られたりして、装飾シート３が基板にたいしてずれたり、装飾シート３を基板に貼付けるときに意図した位置からずれて貼付けたりして、装飾シート３が意図した位置からずれる場合がある。第２縁領域２５ｂおよび取付しろ領域３３は、好ましくは可視領域１８からの厚みＷ１が、３ｍｍ以上かつ５ｍｍ未満に選ばれる。
【００３７】
また第１縁領域２５ａのうちの、取付しろ領域３３を除く領域の幅Ｗ２は、たとえば７ｍｍ以上かつ１７ｍｍ未満に選ばれる。この幅は、遊技盤２を切断するときの精度によって定まり、貫通孔を形成した後に、装飾シート３の貫通孔に臨む縁領域に、少なくとも装飾画が描画されているように設定される。すなわち非装飾領域２４で切断することがないように設定される。
【００３８】
以上説明した本実施の形態のパチンコ機１によれば、透明のシート体の表面上において、遊技盤２がパチンコ機１に設けられた状態で目視可能な可視領域１８だけでなく、可視領域１８を除く非可視領域２５における縁領域２５ａ，２５ｂ，２５ｃのうちの、可視領域１８に接する縁領域２５ａ，２５ｂにも装飾画２２が描画される。すなわち装飾画２２は、可視領域１８から非可視領域２５に少しだけ食み出して描画される。また装飾領域２３を除く非装飾領域２４には、装飾画２２が描画されない。
【００３９】
また除去領域２７の境界３１は、縁領域２５ａにおいて装飾領域２３および非装飾領域２４の境界３２と、可視領域１８および非可視領域２５の境界１９ａとの間に設けられる。本実施の形態では、円環状の可視領域１８の内側の領域において、除去領域２７は、白抜き部分に相当する非装飾領域２４よりも少しだけ大きく設定され、遊技盤２を切取る工程では、白抜き部分よりも少しだけ大きい貫通孔が形成される。したがって、従来の技術と同レベルの精度でも、白抜き部分を遊技盤２に残すことなく除去領域２７を切取ることができる。これによって、白抜き部分が可視領域１８に食み出しているか否かのチェックをする必要がなくなり、検査効率が向上するとともに、食み出しチェックでの不良がなくなるので、歩留まりを高くすることができる。
【００４０】
さらに、白抜き部分には装飾画２２が描画されないので、白抜き部分での不良を良品として判断できる状態を維持することができ、さらに歩留まりを高くすることができる。
また装飾画２２は、非可視領域２５のうちの除去領域２７が重なる領域だけでなく、パチンコ機１に取付けられた状態でたとえば窓枠４などで覆われたりする領域にも、可視領域１８から少しだけ食み出して描画される。したがって、従来の技術と同レベルの印刷精度および貼付け精度であっても、遊技盤２がパチンコ機１に取付けられた状態で、装飾画２２が描画されていない部分が可視領域に食み出すことを防ぐことができる。これによって、装飾画２２が描画されていない部分が、窓枠４などで覆われたりする領域から可視領域１８に食み出しているか否かのチェックをする必要がなくなり、前述と同様の効果を達成することができる。
【００４１】
また本実施の形態では、第２縁領域２５ｂおよび取付しろ領域３３が、好ましくは可視領域１８からの厚みＷ１が３ｍｍ以上に選ばれるので、装飾画２２の描画されていない領域が遊技者に見えることをより確実に防ぐことができる。
【００４２】
非装飾領域２４は、貫通孔が形成されたり、パチンコ機１に取付けられた状態では覆われたりする領域なので、この領域は、装飾シート３の検査をする必要のない領域である。このような非装飾領域２４では、装飾画２２が描画されないので、検査者が不良を検査することがない。これによって、検査対象となる領域が減り、検査時間に要する時間を減らすことができる。特に本実施の形態では、第２縁領域２５ｂおよび取付しろ領域３３は、好ましくは可視領域１８からの厚みＷ１が５ｍｍ未満に選ばれるので、検査の対象となる領域を可及的に狭くして、検査の効率を向上している。また非装飾領域２４は、遊技盤２に貫通孔などを形成してパチンコ機１に取付けられた状態では、遊技者からは見えない領域となるので、このような非装飾領域２４に装飾画２２を描画しないことによって、装飾画を描画する面積を抑えて、インクの量を減らすことができる。これによって、装飾画２２を描画するために要する時間を短くすることができるとともに、装飾シート３のコストを低減することができる。
【００４３】
さらに本実施の形態のパチンコ機１によれば、除去領域２７と可視領域１８との間の領域は、遊技盤に支持される部材を取付けるための取付しろ領域３３に設定される。このように取付しろ領域３３を設けることによって、遊技盤２に支持される演出表示装置１３などの部材を取付けることができる。また遊技盤２の一部を切断するときの精度が低くても、取付しろ領域３３の一部を切断するだけで、可視領域１８の一部を切断してしまうことを防ぐことができる。
【００４４】
本発明の他の実施の形態のパチンコ機１では、非装飾領域２４には、装飾画を検査するための検査用画像が描画される。非装飾領域２４は、貫通孔が形成されたり、パチンコ機１に取付けられた状態では覆われたりする領域なので、装飾性を低下させることなく、検査用画像を設けることができる。
【００４５】
検査用画像は、好ましくは非装飾領域２４のうちでも除去領域２７に配置される。検査用画像は、装飾シート３の装飾画２２の検査が終わると不要となるので、除去される除去領域２７に配置することによって、装飾シート３の検査後も必要となる製造番号などの各種情報を配置するスペースを、非装飾領域２４のうちの除去されない領域に確保することができる。
【００４６】
前述の各実施の形態のパチンコ機１では、装飾領域２３と、非装飾領域２４との境界は、装飾画２２と、装飾シート３に貼付けられる紙の色とで判別可能に構成されるけれども、装飾画２２が描画されるシート体に、色付のものを用いたり、ホログラムを用いたりして、装飾シート３の下地の色と、装飾画２２とで、装飾領域２３と、非装飾領域２４との境界を判別可能に構成してもよい。
【図面の簡単な説明】
【００４７】
【図１】パチンコ機１に設けられる遊技盤２の装飾シート３を模式的に示す正面図。
【図２】パチンコ機１を模式的に示す正面図。
【図３】装飾シート３を簡略化して示す正面図。
【図４】装飾領域２３と非装飾領域２４とを説明するための模式図。
【図５】遊技盤２の一部が切取られる除去領域２７を説明するための模式図。
【符号の説明】
【００４８】
１  パチンコ機、２  遊技盤、３  装飾シート、４  窓枠、１３  演出表示装置、１８  可視領域、２２  装飾画、２３  装飾領域、２４  非装飾領域、２５  非可視領域、２６  しろ領域、２７  除去領域、３３  取付しろ領域
【図１】
2008295680.tif 000003
【図２】
2008295680.tif 000004
【図３】
2008295680.tif 000005
【図４】
2008295680.tif 000006
【図５】
2008295680.tif 000007